Podtech/llm-jp-corpus-v4-ja_patent huggingface dataset:
(57)【要約】【課題】  歯磨き時にブラシが歯の奥、裏にも当たって、磨き残し歯ブラシを提供する。【解決手段】  柄とブラシの間に柄の周方向３６０度いずれの方向にも湾曲、復元可能な弾性体を備えたものであり、弾性体をコイルスプリング又は線バネとすることができ、ブラシと柄と弾性体を分離・連結可能とすることもできる。【選択図】図１
2010017212.tif 000002
【特許請求の範囲】
【請求項１】
柄の先にブラシを備えた歯ブラシにおいて、柄とブラシの間に柄の周方向３６０度いずれの方向にも湾曲・復元可能な弾性体を備えたことを特徴とする歯ブラシ。
【請求項２】
請求項１記載の歯ブラシにおいて、弾性体がコイルスプリング又は線バネであることを特徴とする歯ブラシ。
【請求項３】
請求項１又は請求項２記載の歯ブラシにおいて、ブラシと、柄と、弾性体が分離・連結可能であることを特徴とする歯ブラシ。
【発明の詳細な説明】
【技術分野】
【０００１】
本願発明は歯ブラシに関する。
【背景技術】
【０００２】
歯ブラシには従来から各種形態、構造のものがある。それらの例として、歯磨きの際の歯や歯茎への負担を減らすために、柄とブラシの間に波状の可動部Ａを設けたもの（図３）や、ブラシの前後方向中央部にブラシの先端が内側に曲がる屈曲部を備えたもの（特許文献１）などがある。
【０００３】
【特許文献１】特開２００２−５１８３８号公報
【発明の開示】
【発明が解決しようとする課題】
【０００４】
しかし、従来の発明の可動部も屈曲部も可動方向や屈曲方向が使用時に歯や歯茎に圧力のかかる方向のみであるため以下のような課題があった。
（１）歯の細部特に奥歯の奥側など磨く場合には、ブラシが奥側に当たりにくく、磨き残りができやすかった。
（２）ブラシ、可動部或いは屈曲部、柄が固定式であるため、それらの一部が摩耗或いは損傷すると部分的な交換が出来ず、歯ブラシ全体を交換しなればならず、まだ使用可能な部分（例えば、柄）が無駄になり、不経済であった。
【０００５】
本願発明の課題は、前記課題を解決できると同時に、磨き残りができにくく、歯及び歯茎に確実に接触するが歯及び歯茎への負担（接触圧）の少ない歯ブラシを提供することにある。
【課題を解決するための手段】
【０００６】
本願発明の歯ブラシは、請求項１記載のように、柄の先にブラシを備えた歯ブラシにおいて、柄とブラシの間に柄の周方向３６０度いずれの方向にも湾曲・復元可能な弾性体を備えたものである。請求項２記載のように、前記弾性体をコイルスプリング又は線バネとすることができる。また、請求項３記載のように、ブラシと、柄と、弾性体を分離・連結可能とすることもできる。
【発明の効果】
【０００７】
本願発明の歯ブラシには次のような効果がある。
（１）弾性体が柄の周方向３６０度いずれの方向にも湾曲・復元可能であるため、奥歯の奥側、歯の内側まで確実に接触でき磨き残りができにくい。
（２）歯及び歯茎に確実に接触しても、歯及び歯茎への接触圧が弱いので、歯及び歯茎が損傷しにくい。
（３）ブラシ、弾性体、柄の各部材を分離・連結可能であるため、消耗或いは損傷した部材だけを交換することができ、無駄がなく、経済的である。
【発明を実施するための最良の形態】
【０００８】
（実施形態１）
本願発明の歯ブラシの実施形態の一例を図１及び図２に基づいて説明する。この実施形態の歯ブラシは図１に示すようにブラシ１と弾性体２と柄３を備えており、弾性体２にコイルスプリングを使用してある。前記ブラシ１や柄３の材質、形状、構造等は汎用の歯ブラシのそれらと同じものであってもよく、新規なものであってもよい。弾性体２として使用するコイルスプリングの線径、巻き数、巻き径、巻き間隔、長さ、弾性強度等は子供用、大人用といったように用途に合せて各種用意することができる。コイルスプリングは、隙間をあけて巻いたものであっても、密に巻いたものであってもよい。コイルスプリングは錆び難いステンレスのような金属製とすることができるが、樹脂製とか他の材質製とすることもできる。
【０００９】
図１のブラシ１、弾性体２、柄３は分解・連結可能としてある。図１に示したものはブラシ１の基材４の根元側を弾性体２の一端に圧入固定可能な太さのブラシ連結軸５とし、柄３の先端側を弾性体２の他端に圧入固定可能な太さの柄連結軸６にしてある。分解・連結構造はこれ以外であってもよく、例えば、ブラシ連結軸５を弾性体２の一端に被せて固定可能な太さの筒状にし、柄連結軸６を弾性体２の他端に被せて固定可能な太さの筒状にすることもできる。ブラシ１、弾性体２、柄３は分解できない固定式のものでもよい。
【００１０】
前記弾性体２にはコイルスプリングを使用してあるが、それ以外のもの、例えば、図２のように細い弾力性（復元性）のある線バネを数本使用することもできる。線バネは一本でも良く、その場合、線バネを柄の中心部分に設けると使いやすい。また、弾力性（復元性）のある線バネ、ゴム、軟質樹脂製の丸棒とか丸パイプ等とすることもできる。
【００１１】
前記弾性体２の材質は錆にくいステンレス製が適するが、他の材質、例えば、ステンレス以外の金属、ゴム、樹脂といったものであってもよい。前記、分解・連結構造も前記以外であってもよく、例えば、ネジ込み式等であってもよい。
【図面の簡単な説明】
【００１２】
【図１】本願発明の歯ブラシの一例であって、（ａ）はその分離状態を示す斜視図、（ｂ）は連結状態を示す斜視図。
【図２】本願発明の歯ブラシの他例であって、（ａ）は側面図、（ｂ）は（ａ）のＡ−Ａ断面図。
【図３】従来の歯ブラシの側面図。
【符号の説明】
【００１３】
１  ブラシ
２  弾性体
３  柄
４  基材
５  ブラシ連結軸
６  柄連結軸
【図１】
2010017212.tif 000003
【図２】
2010017212.tif 000004
【図３】
2010017212.tif 000005
(57)【要約】【課題】  片噛みで食事をする習慣のために、肩こりをはじめ不快な諸症状で困っている人のために、両噛みが可能となるシートを提供する。【解決手段】  両噛みが可能となるように、シートを歯全体の噛み合わせ部分が入る（１）や部分的な噛み合わせが入る（２）を切り抜くことを特徴とする。【選択図】図１
2010017497.tif 000002
【特許請求の範囲】
【請求項１】
人の歯の両噛みを目的として、歯茎、或いは歯全体が同時に噛み合わすためのシートで（１）のような歯全体の噛み合わせ部分が入るもの。
【請求項２】
人の歯の両噛みを目的として、（２）のような左右の歯の一部を使って、同時に噛み合わすためのもので、シートの材質は、噛みしめることのできるもの、樹脂、紙、プラスチック、ゴムなどとする。
【発明の詳細な説明】
【技術分野】
【０００１】  この発明は物を食べる時に片噛みをする為に起こる肩こり、その延長の偏頭痛また痛みや、不快な諸症状に対処するものです。
片噛みとは、食物を左右どちらかの片側ばかりで噛むことや、左右交互に噛むことを言います。
両噛みとは、食物を口の中でひろげて、左右同時に噛んで食べる事です。
左右同時に噛むことによって、脳に影響を及ぼし、上半身の筋肉をリラックスさせるものと考えます。
片噛みで表われた苦痛な症状は、両噛みをすることによって楽になります。
片噛みをする人が、両噛みで食べるようになるのは、容易ではありませんが、たとえ、歯茎や入れ歯で食する人であっても、両噛みで食べる努力をする必要があると思います。
この考え方は、食事を両噛みですることが望ましいのですが、どうしても出来ない人のために、考案しました。
片噛みの人が、しっかりこのシートを４，５回噛む事によって両噛みが出来ます。
両噛みをしっかりするために、歯全体の噛み合わせ部分を形取って、切り抜いたこのシートを使うことを考えました。
【背景技術】
【０００２】  肩こり、痛み、或いは、不快な症状の原因が、片噛みによって起こるという、考えがない。
【発明が解決しようとする課題】
【０００３】  例えば、片方の奥歯が硬いものを噛めなかったり、片噛みが長年の癖であったり、歯茎や入れ歯で、片噛みをしていて努力をしてもなかなか両噛みが出来ない人のために考えたものである。
【課題を解決するための手段】
【０００４】  歯全体の噛み合わせ部分が入るように、シートを切り抜きました。
それを歯や歯茎で、しっかり噛むことによって両噛みが出来て、肩こりなどの症状が楽になるものである。
【発明を実施するための最良の形態】
【０００５】  以下、本発明の実施の形態について説明する。
歯全体の噛み合わせ部分が入るように、シートを形取って、切り抜いたものである。
全体の歯や歯茎で、この両噛みシートをしっかり４，５回噛むことによって、両噛みが可能となる。
【発明の効果】
【０００６】  この両噛みシートをしっかり噛むことによって、肩こり、その延長にある偏頭痛、原因の分からない不快な症状などが楽になる。
これは、介護にも生かしていくと良い効果が出るものと思います。
【図面の簡単な説明】
【図１】  本説明の歯全体の噛み合わせ部分を形取ったものである。
【図２】  本説明の部分的な噛み合わせが入るように形取ったものである。
【図１】
2010017497.tif 000003
【図２】
2010017497.tif 000004
(57)【要約】【課題】睡眠時には無意識に鼻呼吸を行うのでいびきが発生する。いびきは２次的に耳鳴りを発生させる。睡眠時の鼻呼吸をやめて、口呼吸に替えて気道を確保する必要がある。【解決手段】空気が鼻孔から進入も排出もできないように、気密性を重視したことを特徴とする、いびき及び耳鳴り防止用鼻栓を左右の鼻孔に挿入し、口呼吸で気道確保の調節をしたのち睡眠に入る。【選択図】図１
2010017499.tif 000002
【特許請求の範囲】
【請求項１】
空気が鼻孔から進入も排出もできないように、気密性を重視したことを特徴とする、いびき及び耳鳴り防止用鼻栓。
【請求項２】
ゴム、合成樹脂、天然繊維、木材、金属のうち１種類又は２種類以上を素材として用い鼻栓本体に成型加工して成る、請求項１に記載のいびき及び耳鳴り防止用鼻栓。
【発明の詳細な説明】
【技術分野】
【０００１】本発明は睡眠時のいびき及び耳鳴り発生を防止するための鼻栓に関する。
【背景技術】
【０００２】従来、睡眠時にいびきを防ぐ方法として、まくらを工夫したものがある（例えば、特許文献１参照。）。また、ベッドを工夫したものがある（例えば、特許文献２参照。）。また、いびきセンサーを用いて身体を横たえる姿勢を規制したものがある（例えば、特許文献３参照。）。また、鼻呼吸補助器具を使用して鼻腔拡張をねらったものがある（例えば、特許文献４参照。）。また、いびき抑制組成物を使用して鼻づまりを軽減したものがある（例えば、特許文献５参照。）。また、マウスピースを使用して上気道の狭窄を緩和したものがある（例えば、特許文献６参照。）。また、通気弁を設けたいびき防止用鼻栓で吸気を妨げたものがある（例えば、特許文献７参照。）。
【特許文献１】特開２００７−２４４６３４号公報
【特許文献２】特開２００５−２７０６２７号公報
【特許文献３】特開２００６−０２０７２２号公報
【特許文献４】特開２００５−２７８９５９号公報
【特許文献５】特開２００５−１８５８３１号公報
【特許文献６】特開２００６−０９５２４５号公報
【特許文献７】実登３０５９２７０号公報
【発明の開示】
【発明が解決しようとする課題】
【００００３】睡眠時、あおむきの姿勢をとると、舌根が落ち込んで上気道の狭窄を強めていびきをかく。横向きの姿勢では上気道の狭窄は緩和されていびきをかかない。【０００４】しかし、運動や飲酒をした後に睡眠をとると、横向きの姿勢を維持しようとしても時間の経過に伴って、身体の向きは楽な姿勢や安定性を求めて寝返りをうち、結局、あおむきの姿勢に至るのが普通である。【０００５】就寝時に身体を横たえると、リンパ液が重力の影響を受けて鼻腔に押し寄せてくるので、粘膜は膨潤し鼻づまりになりやすい。鼻づまりになると上気道は狭くなり、空気の摩擦抵抗や振動は増し、更にいびきをかきやすくなる。【０００６】これらは上気道に充分な気道が確保されないことと、笛の原理によるものである。【０００７】睡眠時の標準的な呼吸方法としては鼻呼吸が自然であり、いびきは呼気時の場合と吸気時の場合に分けることができる。どちらも無意識の状態では気道の確保が難しいのでいびき発生につながる。【０００８】往復のいびきをかくと上気道は閉そくし、しばしば呼吸が止まることがある。いわゆる睡眠時無呼吸症であり、慢性的な睡眠不足を来し居眠り運転などで重大な問題を引き起こすことが分かっている。【０００９】睡眠時にいびきをかくと、目覚めた時にせみが鳴くような、あるいは高い金属音の耳鳴りが発生することがあり更に問題となる。【００１０】鼻呼吸をやめて口呼吸に切り替えれば、あらかじめ気道の確保が可能であり、その状態を保持して睡眠に入ればいびきは発生しないことが実験により明らかになった。しかしながら、睡眠時の無意識状態では口呼吸を継続的に維持することが難しい。
【課題を解決するための手段】
【００１１】空気が鼻孔から進入も排出もできないように、気密性を重視したことを特徴とする、いびき及び耳鳴り防止用鼻栓２個を準備した。鼻栓本体はゴム、合成樹脂、天然繊維、木材、金属のうち１種類又は２種類以上を素材として成型加工する。鼻栓を左右の鼻孔に挿入して鼻呼吸を遮断し、口呼吸のみで気道確保をしてから睡眠に入ることによって課題を解決した。
【発明の効果】
【００１２】鼻呼吸が遮断されると口呼吸が必然となる。睡眠に入る前にあらかじめ上気道周辺に空気の摩擦抵抗や振動が起こらないように気道設定して、その状態を睡眠時にも維持することができ、いびき発生のない睡眠が確保される効果は大きい。【００１３】２次的効果として本人の目覚めた後の耳鳴りも解消できるので、いびき防止の効果は更に高まる。【００１４】この鼻栓使用によって、いびき発生機構の理解や自覚、いびき防止のトレーニングを促す効果が期待できる。さらに耳鳴り発生機構の解明にも寄与する画期的な研究成果である。
【発明を実施するための最良の形態】
【実施例１】
【００１５】空気が鼻孔から進入も排出もできないように、気密性を重視したことを特微とする、人差し指形状に成型加工した脱脂綿とシリコーンゴム複層、いびき及び耳鳴り防止用鼻栓２個を準備した。鼻栓を左右の鼻孔に挿入し、口の中の乾燥を和らげるためにマスクをかけて睡眠をとった。【００１６】目覚めた後、鼻栓を容易に取りはずすことができた。身体の向きや姿勢にかかわらず、継続的にいびきが発生しなかったことを確認した。【００１７】せみが鳴くような、あるいは高い金属音の耳鳴りは発生しなかった。口の中の乾燥状態は我慢できる範囲内であった。
【産業上の利用可能性】
【００１８】安価で、安全で取り扱いが容易であり、利用可能性は大きい。
【図面の簡単な説明】
【００１９】
【図１】鼻栓を示した平面図である。
【図２】鼻栓を示した立面図である。
【図３】鼻栓の先端付近の断面形状を示す図である。
【図４】鼻栓の末端付近の断面形状を示す図である。
【符号の説明】
【００２０】１  鼻栓本体
【図１】
2010017499.tif 000003
【図２】
2010017499.tif 000004
【図３】
2010017499.tif 000005
【図４】
2010017499.tif 000006
(57)【要約】【課題】  化粧水なしでも使用できるフェイスマスクであり、顔面を炭層で覆って肌に適度の刺激を与え、目の疲れを癒す。【解決手段】  炭粉とエチレン酢酸ビニル樹脂で構成された炭層と紙又は不織布が一体化したシートを成形したものであり、炭層を顔面に接触させて使用するフェイスマスク。【選択図】図１
2010017498.tif 000002
【特許請求の範囲】
【請求項１】
炭粉とエチレン酢酸ビニル樹脂で構成された炭層と紙又は不織布が一体化したシートを成形したものであり、顔面に炭層を接触させて使用するフェイスマスク。
【発明の詳細な説明】
【技術分野】
【０００１】  本発明は、フェイスマスクに係る。
【背景技術】
【０００２】  顔面に当てるマスク状のものが多数開発されている。その中でも、遠赤外線効果を有するものや美容成分を含有したものがある。【０００３】  従来のシート状の美顔用マスクには、天然、合成繊維質材料に炭質包被鉱物粒子、ペグマタイト酸化鉱物粒子を内蔵又は被覆させたものもある（例えば、参考文献２参照。）。【０００４】  遠赤外線効果を目的としたものとして、顔面全体又は顔の任意の部分を覆う美顔用マスクであって、炭質粉末層をセルロース系繊維から構成された２枚の不織布で挟み一体化してなることを特徴とする美顔用マスクがある。（例えば、参考文献１参照）【０００５】  参考文献３には植物性炭素繊維からなる生地を肌に接する裏面又は中間層として用いたことを特徴とした顔に取り付けることができるマスクがある。【０００６】  参考文献１の美顔用マスクでは、炭粉を不織布などで挟んだ物であって、厚みがあって柔軟性に欠け、顔面に取り付け部分がないため乾燥時の使用はできない。参考文献２の美顔用マスクでは遠赤外線放射特性が悪く、遠赤効果は低い。双方共に直接炭粉に皮膚が接触できないものであった。参考文献３は植物性炭素繊維からなる生地を肌に接しないようにしたマスクである。【０００７】  このように従来のものは炭化物の遠赤効果を主に利用しようとするもので、特に顔面に炭層を接触させて、炭の摩擦による刺激を利用したものはなく、多様な炭の機能を十分に利用できていない。当然、乾燥時使用による効果を得るような設計にはなっていない。
【参考文献】
【０００８】
【参考文献１】
特願２００２−２８１６７９
【参考文献２】
実開昭５３−３０９６７号公報（第１−３頁、第１、２図）
【参考文献３】
特開２００２−１７２０２２
【発明が解決しようとする課題】
【０００９】  炭の特長は、常温での遠赤外線放射特性が優れているだけでなく、吸着性、吸湿性、抗菌性、抗酸化作用、テラ領域の電磁波吸収作用、摩擦係数が大きい等があり、遮蔽物なく直接炭を肌に接触させて炭の全ての機能を得ることが望ましい。本発明は炭の遠赤外線放射特性のほか、抗酸化作用、抗菌性、吸着性、吸水性、を利用し、特に摩擦の大きさを利用した刺激を得るフェイスマスクに係わる。
【００１０】  このようなフェイスマスクを得るためには、炭の吸水性を保持し、化粧水を吸収させても汚れなくする加工技術や、紙と炭粉が一体化して柔軟性を保持する技術を要する。
【００１１】  本発明のフェイスマスクは、炭層と顔面を接触させることが特徴であり、炭層に化粧水を吸収させて、遠赤外線の温熱作用で吸収を促進するだけでなく、遮蔽物がないため抗酸化作用や殺菌効果で肌を健全に保ち、肌への適度の刺激を得る。また、化粧水がなくても、顔面が適度の刺激で付け心地がよく、直接的に遠赤外線効果を得て新陳代謝を高め、特に目の疲れを癒すフェイスマスクを提供することを課題とする。
【課題を解決するための手段】
【００１２】  エチレン酢酸ビニル樹脂エマルジョン接着剤と炭粉と水を、例えば８：１０：６で混合したものを不織布または紙に塗布して、特に柔軟性、吸水性、耐水性がある炭層を得、紙や不織布と一体化して、炭層に化粧水を吸収させた時に問題となる粉塵の発生や汚れを解決した炭塗工不織布、炭塗工紙を得たことが特徴である。
【００１３】  炭層の厚みは０．０２〜０．２ｍｍであり、望ましくは０．０５ｍｍ前後である。
【００１４】  炭粉には木炭、竹炭、活性炭を使用し、炭粉径は３０〜２００ミクロン範囲で、望ましくは８０ミクロン前後の粒状であり、不織布や紙は０．１〜１ｍｍ範囲の厚みであり、望ましくは０．５ｍｍ前後である。
【００１５】  目は遠赤外線によって加熱して相当疲れが癒されることが、添付書類１のように実験によって明らかになったため、目の部分を大きくくり貫かず、図１のようにテレビが最低限見える程度にしている形が特徴である。
【００１６】  殺菌効果は添付書類２のようであり、炭層に化粧水を含浸しても雑菌の増殖はない。
【発明を実施するための最良の形態】
【００１７】  請求項１のフェイスマスクは図１のように、化粧水無しでも顔に取り付け可能なように取り付け部を有していて、炭層と顔面が接触するのが特徴であり、目の疲れを癒すように開口部が小さい形であるのが特徴である。【００１８】  本発明に係るフェイスマスクは、顔面の全体を覆う任意の形状であり、例えば、図１に示すような顔面とほぼ同じ大きさの略円形状のフェイスマスクで、素材は不織布や紙と炭層が一体化した構造をしている。【００１９】  素材の構成は、炭粉とエチレン酢酸ビニル樹脂エマルジョン接着剤と水を１０：６〜１０：４〜１０、望ましくは１０：８：６比率で混合した炭塗工液を得て、不織布や紙へ塗布したものである。塗布量は５０〜２００ｇ／ｍ２であり、望ましい混合比率における固形物中の炭重量比は約７２％である。【００２０】  図１に示すように、目及び口に対応する部分と両端に顔に取り付け用の開口部（２）を設け、鼻の輪郭と鼻の下に切り目（３）を設けている。尚、目は小さな開口部であり、口部分は楕円の大きな開口部を設け、顔に取り付け用の開口部はゴムなどが入る穴で成っている。顔の曲面に対応するためにマスクの周囲に求心状に複数の切り目（３）や切り込み（４）を設ける。
【発明の効果】
【００２１】  以上詳述した如く、請求項１に係る発明は、顔面全体を覆うフェイスマスクであって、紙または不織布と炭層で構成され、炭層は炭粉約７２％重量とエチレン酢酸ビニル樹脂約２８％重量で構成されていて安全であり、顔面と炭層が遮蔽物なく接触するものであり、炭の全ての機能を得ることができるフェイスマスクである。
【００２２】  炭が直接肌に触れるため、顔面に適度の刺激があり、化粧水を付けなくても遠赤外線効果と刺激で細胞を活性化し新陳代謝を促進する。特に目と周辺の細胞を活性化して、目疲れを癒す作用が大きい。当然化粧水を付けても同様であり細胞が活性化されるため吸収がよい。
【図面の簡単な説明】
【００２３】
【図１】顔面全体を覆う美顔用マスクの平面図である。
【符号の説明】
【００２４】    １．フェイスマスク
２．開口部
３．切り込み
４．切抜き
【図１】
2010017498.tif 000003
(57)【要約】      （修正有）【課題】火災防止対策として、環境面、安全面から人体及び近隣に影響を与えない消火を可能にする。【解決手段】自動拡散型消火器は、室内の温度が４０℃以上に達するとガラスアンプル容器１内の消火液が分解し膨張し始め、室内の温度が９０℃〜１０５℃に上昇すると自動的にガラスアンプル容器１が破裂して消火液を拡散し消火する。【選択図】図２
2010017491.tif 000002
【特許請求の範囲】
【請求項１】
ガラスアンプル中に消火液として強化液を充填部に投入した自動拡散型消火器。
【請求項２】
ガラスアンプルが、膨張圧力により拡散した消火液が、燃焼面に附着させ窒息冷却し、消火する自動拡散型消火器
【請求項３】
アンプル内の消火液の分解で発生した炭酸ガスは、上昇し天井部分を消火する自動拡散型消火器
【請求項４】
燃焼面に附着する消火液は一部泡状になり、泡は蒸発して炭酸ガスになり、上昇して窒息消火する自動拡散型消火器。また、燃焼面に附着した泡は、その大小により蒸発時間に差ができ、継続して炭酸ガスが発生する。
【請求項５】
ガラスアンプルの拡散消火は、範囲温度９０℃〜１０５℃でアンプル内のガスが発生し、自動的に破裂して消火液を拡散させる自動拡散型消火器。
【発明の詳細な説明】
【技術分野】
【０００１】  本発明、自動拡散型消火器の構造及び科学的性質（強化液）に関するものである。
【背景技術】
【０００２】  基本的な消火による消火器は、粉末消火器及び液体消火器が代表的であり、またビル及び病棟についてはスプリンクラーが義務化されている現状である。【０００３】本来の消火する４要素として
・  窒息消火（稀釈消火）  燃焼物が炭酸ガス等の不燃性ガスで覆う事により、酸素濃度を薄くして消火する方法。また、燃焼物に対して酸素の供給を遮断する方法。
・  冷却消火  水などをかけて燃焼物の温度を下げて消火する方法。
・  除去消火  燃焼物を取り去る事により消火する方法。
・  抑制消火（負媒体消火）  燃焼物の炭素を空気中の酸素と熱の連鎖反応を遮断、抑制する方法。
【発明の開示】
【発明が解決しようとする課題】
【０００４】本発明の目的は、室内に人が居なくても自動的に消火する自動拡散型消火器である。この消火器の作動原理は、ガラスアンプル中（図１）に消火液として強化液を主成分とし、その補助剤として炭酸塩類、アンモニウム塩類等が充填されており、加熱された場合、水溶液中の塩類が分解を始め、炭酸ガスやアンモニウムが発生しその圧力により９０℃〜１０５℃でガラスアンプルが自動的に破裂して消火液を拡散させるものである。
【課題を解決するための手段】
【０００５】  この目的を達成させるため、周囲の熱及び煙により容器内の薬剤で熱分解し、その膨張圧力で容器内のガラスアンプル筒を破壊、消火液を拡散し消火する。
尚、容器は周囲の高温、低温等に影響されない膨張耐熱ガラスを使用し、安全、安心に取り扱える消火器である。
【発明の効果】
【０００６】  本発明の自動拡散型消火器は、取扱いが簡単である。
また、消火能力については、消火する範囲（拡散範囲）が上下左右２ｍ迄消火可能と同時に室内に人が居なくても室内温度が９０℃〜１０５℃に上昇すると、自動的に拡散消火するので、安全、安心であることの確認ができた。
【発明を実施するための最良の形態】
【０００７】  本発明の自動拡散型消火器は、室内用として簡単に取り付け出来る構造（図２）になっている。
本消火器の作動確認について、室内の温度上昇等の状況に反応し、何等操作を加えずに火災を未然に防ぐことが出来る。
また、本消火器の作動状況として、火災が発生し周囲温度が４０℃以上上昇するとガラスアンプル内消火液が分解し膨張が始まり、室内温度が１０５℃でガラスアンプルの耐熱限度をこえてガラス（図２）が内側から破れ、消火液が自動的に拡散されて消火する。【０００８】  薬剤成分（薬液６００ｃｃ当り）配合品として、塩化アンモニウム、尿素、炭酸アンモニウム、リン酸アンモニウム、硫化アンモニウム、塩化ナトリウム、界面活性剤等が混合剤として使用。【０００９】  危険有割性について、性状は高温で炭酸ガス、アンモニアガスが発生する液体で淡い黄色でやや粘稠がある。常温では微かにアンモニウムの臭いがするが、体内に影響はない。
【図面の簡単な説明】
【００１０】
【図１】  ガラスアンプル筒
【図２】  本発明の自動拡散型消火器
【符号の説明】
【００１１】１  ガラスアンプル容器
２  ガラスアンプル内部薬液
３  薬剤液（混合）投入口
４  ガラスアンプル容器カバー
５  止めリング
６  ガラスアンプル容器本体止め金具
７  アラスアンプル容器本体止め穴
【図１】
2010017491.tif 000003
【図２】
2010017491.tif 000004
(57)【要約】      （修正有）【課題】ベッドや車いすなどにパネル式センサーを設置して、認知症、徘徊癖のある被介護者の離床または離席の検知、徘徊を防止する方法およびその方法を使った装置の提供である。【解決手段】荷重により作動するパネル式センサー２０３で、離床または離席を検知し、ナースコール報知までの遅延時間を長く設定する事により、被介護者２０１の徘徊を検知し、アラーム音鳴動し、また病院や施設にある既設のナースコール装置２０２で報知する離床・徘徊検出装置を実現した。【選択図】図２
2010017492.tif 000002
【特許請求の範囲】
【請求項１】
被看護者のベッドからの離床や起き上がりを検知するために、荷重の増減によって作動するパネル式センサーをベッドに設置し、該センサーの電気的な信号の変化によって、離床や離席、徘徊を検知する離床・徘徊検出装置。
【請求項２】
被看護者が離床や離席したことを報知するために、荷重の増減で作動するパネル式センサーを設置して、センサーが荷重減により作動した時に人がセンサー上から移動したと定義して、人がベッドや車椅子や椅子から離れたことを専用装置又はナースコール装置で、有線方式や無線方式により音や表示灯で報知する方法。
【請求項３】
被看護者の離床や離席を検知し、設定時間内に再度着床または着席しない状態を徘徊していると定義して、指定時間をソフトウェアでカウントし、あるしきい値に到達しても再着床または着席しない場合、アラーム鳴動で報知、ナースコールに報知する方法。
【請求項４】
ナースコールまでの遅延時間を長く設定する事により、荷重の増減により作動するパネル式センサーで離床または離席を検知し、設定時間内に着床または着席がない場合に、被介護者の徘徊をアラーム音とナースコールで報知する方法。
【発明の詳細な説明】
【技術分野】
【０００１】本発明は、被看護者の離床または離席を報知する方法やその装置に関するものである。
【背景技術】
【０００２】被看護者の離床、徘徊検知は安全管理に於いて必要であり、このためベッド近くの床に人が踏むことで作動する方式のマットスイッチを設置したり、ベッドにパネル式センサーを設置したりして被介護者が離床するのを検知するものであった。【０００３】しかし、ベッド上から検知する離床センサーはナースコール発報の遅延時間が０〜数秒間と短く、寝返りや体位交換等でも頻繁にナースコールしてしまうため、介護者の負担が大きい。【０００４】またベッド上での設置はある程度動き回る事が可能で且つ徘徊癖のある被介護者に対しては意味をなさず、床に置くマットスイッチは設置が目立つため、被介護者が避けて歩いてしまうという欠点がある。
【発明の開示】
【発明が解決しようとする課題】
【０００５】本発明の課題は、ベッドや車いすなどにパネル式センサーを設置して離床または離席の検知、また、長時間のナースコール発報遅延時間を設定し、離床または離席からの徘徊の報知をする方法およびその方法を使った装置の提供である。
【課題を解決するための手段】
【０００６】第一の手段は、パネル式センサーの電気信号をチェックするプログラムを開発したことである。チェックした信号のしきい値を読み、メロディやブザー音でのアラーム出力と、ナースコール発報を行う。【０００７】第二の手段は、ナースコール発報までの時間を長く遅延可能にしたことである。定められた遅延時間をしきい値として設定し、離床または離席の状態からしきい値までをタイマーでカウントするプログラムの開発によって可能となった。【０００８】第三の手段は、病院や施設にある既設のナースコール装置との連動および有線方式および無線方式の音の出力や表示灯からなる報知器を設けたことである。
【発明の効果】
【０００９】本発明の方法および装置は、人の存在の有無を荷重の増減を利用したパネル式センサーで検知し、信号変換によって人が居なくなった場合にのみ信号を出力するようにしたため、離床や離席の検知が簡単かつ精度良く出来るようになったことに加え、実情に合わせた報知手段を選択できるようにしたため、被看護者の徘徊監視に大変役立つものである。【００１０】長時間の時間設定により、離床または離席したまま戻ってこない場合に報知する事ができ、頻繁なナースコールによる看護者の負担を軽減できる。【００１１】また、目立つ事により被看護者が避けてしまったり、看護者が踏んでしまう事で誤作動が置きやすかったりするマットスイッチに代わって、ベッドや椅子からの徘徊を検知する事ができ、より精度を上げた離床、離席または徘徊の検知が可能である。
【発明を実施するための最良の形態】
【実施例１】
【００１２】以下、本発明の実施例について図を参照して説述する。【００１３】図１は、本発明の装置の動作フローチャートである。【００１４】１０１はパネル式センサーまたはマットスイッチのチェック、１０２は離床または離席を検知したかどうかの分岐である。【００１５】１０２で離床または離席した場合、指定時間まで待機する（１０３）。また、離床または離席していない場合は、再びセンサーチェック（１０１）に戻る。【００１６】１０４は指定時間後に離床または離席しているかどうかの分岐であり、離床または離席状態であった場合、アラーム鳴動（１０５）、ナースコール発報（１０６）し、離床・離席状態を報知する。【００１７】図２は、本発明による装置の運用の一例を示す図である。【００１８】２０１は被看護者、２０２は病院や施設のナースコール装置、２０３はパネル式センサーまたはマットスイッチ、２０４はベッド、２０５は本発明方法を用いた装置、２０６は既設のナースコール配線、２０７ナースステーション、２０８は看護師である。【００１９】２０３のＯＮ／ＯＦＦを２０５で読み取り、一度ＯＦＦ＝離床または離席を検知した後、指定時間まで設定されたしきい値をカウントし、しきい値に達した後もＯＦＦ状態の時、２０２、２０６を経由して２０７にいる看護者や管理者へ報知する。【００２０】ナースコール発報までの遅延時間を短く設定することにより、起き上がりや室内でベッドや椅子からの転倒を防ぐことが出来る。【００２１】また、ナースコール発報までの遅延時間を長く設定すると、夜間のトイレに行ったきり戻ってこない等、ある程度動き回る事の出来る被看護者に対して大変有効である。
【図面の簡単な説明】
【００２２】
【図１】本発明の装置の動作フローチャートである。
【図２】本発明による装置の運用の一例を示す図である。
【符号の説明】
【００２３】１０１  センサーチェック
１０２  離床または離席検知の分岐
１０３  指定時間待機
１０４  指定時間後の離床または離席の分岐
１０５  アラーム鳴動
１０６  ナースコール発報
２０１  被看護者
２０２  ナースコール装置
２０３  パネル式センサー
２０４  ベッド
２０５  本発明の装置例
２０６  既設のナースコール配線
２０７  ナースステーションまたは管理室
２０８  看護師や管理者
【図１】
2010017492.tif 000003
【図２】
2010017492.tif 000004
(57)【要約】【課題】格子用ネットフックが簡単に格子状ネットから離脱しないような特殊形状の格子用ネットフックを提供する。【解決手段】格子用ネットフックに特殊形状部Ｘ点及び凹部を設け格子状ネットからの離脱を防止した。【選択図】図１
2010017500.tif 000002
【特許請求の範囲】
【請求項１】
離脱防止形状Ｘ点及び凹部を設けた格子用ネットフック。
【発明の詳細な説明】
【技術分野】
【０００１】この発明は格子状ネットに使用する格子用ネットフックが簡単に格子状ネットから離脱しない様にした格子用ネットフックに関するものである。
【背景技術】
【０００２】従来の格子用ネットフックは格子状ネットに引っ掛けて使用する部分が単純なＵ型形状であった。
【発明の開示】
【発明が解決しようとする課題】
【０００３】従来の格子用ネットフックは格子状ネットに引っ掛ける部分を単純なＵ型形状にしていた為、簡単に格子用ネットフック及び格子用ネットフックに陳列した販売用品が格子状ネットから離脱してしまう問題点があった。
【課題を解決する為の手段】
【０００４】上記の単純なＵ型形状部に離脱防止用の特殊形状部を構成した。
【発明の効果】
【０００５】以上の特殊形状部にした為、格子用ネットフック及び販売用商品が下落することがなくなり、整然とした商品の陳列を提供できるようになった。
【発明を実施する為の最良の形態】
【０００６】（イ）従来の格子用ネットフックは単純なＵ型形状部分で格子用ネットに引っ掛けていた為＠方向に持ち上げると簡単に離脱してしまった。本発明はこの＠方向の持ち上げると離脱すると言う事柄をなくす為に従来のＵ型形状部に特殊形状部Ｘ点及び凹部を設けた。
（ロ）この特殊形状部のＸ点が＠方向に持ち上げる時に格子状ネットに引っ掛かり離脱しなくなる。
（ハ）Ｘ点の作用を最大に引き出す為に＠方向に持ち上げる時この凹部にネットが入り込みＸ点が格子状ネットに引っ掛かり離脱しなくなる。
【図面の簡単な説明】
【０００７】
【図１】本発明の斜視図である。
【図２】本発明の側面図である。
【図３】本発明の作用図である。
【図４】本発明の他の形状の応用例である。
【図５】本発明の実施例を示す図である。
【符号の説明】
【０００８】▲１▼  格子用ネットフック
▲２▼  格子状ネット
▲３▼  Ｘ点
▲４▼  凹部
▲５▼  ＠持ち上げる方向
▲６▼  販売用商品
尚、本発明に値しない部分の説明は削除してあります。
【図１】
2010017500.tif 000003
【図２】
2010017500.tif 000004
【図３】
2010017500.tif 000005
【図４】
2010017500.tif 000006
【図５】
2010017500.tif 000007
(57)【要約】【課題】簡単な構造によって、車両の走行速度に応じた適正な揚力に調整できる車両用パンタグラフの集電舟を提供することである。【解決手段】架線に接触させて集電するためのすり板と、その下面を支持する舟体枠を有し、その舟体枠に走行風による抗力の大きさに応じて変形する弾性体を設け、その弾性体の変形により集電舟の断面形状が変化することで、あるいは  前記舟体枠に弾性支持した剛体を取り付け、走行風による抗力の大きさに応じてその剛体が変位して集電舟の断面形状が変化することで揚力を調整する機構を有する。車両速度に応じた揚力が得られるよう集電舟の形状を調整する。車両の走行速度が変わっても適正な揚力に調整でき、低コストである。【選択図】図１
2010017005.tif 000002
【特許請求の範囲】
【請求項１】
車両用パンタグラフ集電装置における揚力の調整構造であって、集電舟の断面形状が走行風の抗力の大きさに応じて変化し、揚力を調整する機構を有することを特徴とする車両用集電舟。
【請求項２】
請求項１に記載の集電舟において、架線に接触させて集電するためのすり板と、該すり板の下面を支持する舟体枠を有し、該記舟体枠に走行風による抗力の大きさに応じて変形する弾性体を設け該、弾性体の変形により集電舟の断面形状が変化して揚力を調整する機構を設けたことを特徴とする車両用集電舟。
【請求項３】
請求項２に記載の集電舟の前記弾性体代わりに、前記舟体枠に弾性支持した剛体を取り付け、走行風による抗力の大きさに応じて該剛体が変位して集電舟の断面形状が変化して揚力を調整する機構を設けたことを特徴とする車両用集電舟。
【発明の詳細な説明】
【技術分野】
【０００１】
本発明は、車両用パンタグラフの集電舟に関するものであり、特に高速走行する鉄道車両の集電装置において適正な揚力が得られ、離線率低減と架線への負荷低減に好適となる。
【背景技術】
【０００２】
車両が走行する事により発生する走行風により、集電舟には空気力である揚力が発生する。揚力は、走行風速度の２乗に比例して大きくなるため、特に高速走行する鉄道車両では低速と高速では大きな変化が生じる。適正な揚力であれば、架線とすり板の離線率低減に効果があるが、過大な揚力となると架線を大きく押し上げて集電舟と架線側の構造物と衝突する等の問題が発生する。そこで、高速車両のように速度が大きく変化しても適正な揚力に調整できる集電舟が求められている。
【０００３】
このような要求に対して、例えば、集電舟に設けた空気排出口から排出する空気の排出方向を調整する排出方向調整部を備えた機構や、集電舟から排出される空気の流量を調整可能な簡単な構造によって集電装置に作用する揚力を調整することができる集電装置の揚力調整機構の技術がある。（たとえば特許文献１，２参照。）
【０００４】
【特許文献１】特開２００６−２１１７９０号公報
【特許文献２】特開２００６−２１１７９１号公報
【発明の開示】
【発明が解決しようとする課題】
【０００５】
この発明の課題は、簡単な構造によって、車両の走行速度に応じた適正な揚力が得られる車両用パンタグラフの集電舟を提供することである。
【課題を解決するための手段】
【０００６】
請求項１の発明によれば、集電舟の断面形状が走行風の抗力の大きさに応じて変化し、揚力を調整する機構を有することを特徴とする。
【０００７】
請求項２の発明によれば、請求項１に記載の集電舟において、架線に接触させて集電するためのすり板と、該すり板の下面を支持する舟体枠を有し、該舟体枠に走行風による抗力の大きさに応じて変形する弾性体を設け、該弾性体の変形により集電舟の断面形状が変化して揚力を調整する機構を設けたことを特徴とする。
【０００８】
請求項３の発明によれば、請求項２に記載の集電舟の前記弾性体代わりに、前記舟体枠に弾性支持した剛体を取り付け、走行風による抗力の大きさに応じて該剛体が変位して集電舟の断面形状が変化して揚力を調整する機構を設けたことを特徴とする
【０００９】
すなわち、走行風により発生する集電舟の揚力のパラメータは、主に集電舟の断面形状で決まる揚力係数と車両速度であり、揚力の大きさは、揚力係数、車両速度の２乗に比例する。また、列車進行方向に作用する抗力は、車両速度の２乗に比例する。そこで、抗力の大きさに応じて集電舟断面形状を変化させる機構を設け、車両速度に応じた揚力が得られるよう集電舟の形状を調整する。
【発明の効果】
【００１０】
本発明によれば、車両の走行速度が変わっても適正な揚力に調整できる低コストの車両用パンタグラフの集電舟を提供することが可能となり、実用上大きな効果がある。
【発明を実施するための最良の形態】
【００１１】
第１実施形態を図１に示し、架線と接し集電するすり板をすり板１、すり板１を支持する剛体を舟体枠２、舟体枠２の表面に付加され、揚力調整をする弾性体を弾性体３１とする。
第２実施形態を図２に示し、架線と接し集電するすり板をすり板１、すり板１を支持する剛体を舟体枠２、舟体枠２に軸支された剛体の揚力調整板を揚力調整板４、このとき揚力調整板４と舟体枠２を弾性支持する弾性体を弾性体３２とする。
【実施例１】
【００１２】
（第１実施形態）
架線と接し集電するすり板１は、剛体である舟体枠２により支持されており、舟体枠２の表面に揚力調整する弾性体３１が付加されている。揚力調整する弾性体３１は走行風により抗力がかかり変形する。揚力調整する弾性体３１の形状及び抗力の大きさに応じた変形形状を適切に選ぶことで、走行速度に応じた適切な揚力となる集電舟の断面形状が得られる。弾性体３１は合成ゴム、天然ゴム、合成樹脂あるいはこれらの組み合わせたものでもよい。
【実施例２】
【００１３】
（第２実施形態）
第１実施形態の揚力調整する弾性体３１に代わり、舟体枠２に弾性支持した剛体の揚力調整板４を付加したものである。揚力調整板４の一方は舟体枠２に軸支され、走行風により抗力を受けると回転変位する。弾性体３２の弾性率を適切に選ぶことで、走行速度に応じて適切な揚力係数となる集電舟の断面形状が得られる。ここで言う弾性体３２は、バネ、空気バネ、合成ゴム、天然ゴム、合成樹脂あるいはこれらの組み合わせたものでもよい。
【図面の簡単な説明】
【００１４】
【図１】本発明の第１実施形態の構成を示す図である。（実施例１）
【図２】本発明の第２実施形態の構成を示す図である。（実施例２）
【符号の説明】
【００１５】
１  すり板
２  舟体枠
３１  弾性体
３２  弾性体
４  揚力調整板
【図１】
2010017005.tif 000003
【図２】
2010017005.tif 000004
(57)【要約】【課題】従来の履物、特に運動用シューズは、カーブを曲がる際の急峻なコーナリング動作や急停止のストップ動作に対して、体重の地面への伝わりが不安定な部分あり、十分な運動能力を発揮することができなかった。【解決手段】本発明のシューズでは、靴底全体及び一部分を縦方向に円弧状、三角状あるいは台形状などに隆起させることにより、カーブを曲がる（コーナリング時）際の体の傾斜や急停止のストップ動作に対しても靴底が安定して地面に接地し、滑りを生じることはないので、運動能力を高めることができる。【選択図】図１
2010017367.tif 000002
【特許請求の範囲】
【請求項１】
靴底側面部から靴底縦方向中央部にかけて全体及び一部分を滑らかに隆起させることを特徴とする運動機能向上履物。
【発明の詳細な説明】
【技術分野】
【０００１】
この発明は、運動状態においてコーナリング動作やストップ動作を俊敏に、そして安定に行えるように運動機能を向上させる靴底に関する履物。
【背景技術】
【０００２】
従来の履物の靴底は、平状のものがほとんどであり運動時に急峻に曲がる、止まるを要求されるスポーツにおいて従来の靴底では運動者の力を的確にとらえる形状ではない。  たとえば、モーターサイクルや自転車のタイヤ断面が円弧状であり、コーナリング時では遠心力とバランスをとるためコーナー内側に傾けて曲がる、このときタイヤの断面が円弧状であることにより、傾けてもタイヤの地面に対する接地は安定し曲がっていくことができる。また、アイススケートで止まる時は、進行方向に対し靴を斜めに押し出すように体重をかけて止まることがある、この場合もスケート靴を斜めして慣性の力を受け止めている。このように人間の曲がる動作、止まる動作も自然の法則に従うので、急峻な曲がる動作、止まる動作を要求される運動では体の傾きにも靴底が地面に対し安定して接地できる形状が望ましい。従来の履物には履物の底裏面中央に高く段差を付け、その突起物は縦方向中央に設け美容・健康面を考慮された履物がある。（例えば、特許文献１参照。）
【特許文献１】特開２００６−５５６００号公報
【発明の開示】
【発明が解決しようとする課題】
【０００３】
しかしながら、以上の技術によれば、急峻なストップ動作やコーナリング動作に対して、機敏な運動機能を目的とするものでなく適応できないものであった。
そこで、この発明は、機敏な運動機能を有する靴底を提供することを課題とする。
【課題を解決するための手段】
【０００４】
上記の課題を解決するために、靴底側面部から靴底縦方向中央部にかけて全体及び一部分を滑らかに隆起させることにより、運動者の体重移動によって斜めにかかる力を靴底の隆起部分に確実に伝達させて、この隆起部分の少なくとも一部が地面に安定して接地することで滑りを生じることなく走る、あるいは止まることを可能にしたことを特徴とする。
【発明の効果】
【０００５】
この発明は急峻に曲がる動作や止まる動作に対して、靴底側面部から靴底縦方向中央部にかけて全体及び一部分を滑らかに隆起させることにより運動者の体重移動によって斜めにかかる力を靴底が地面に安定に接地するため機敏な運動機能を提供できる。また、足首が斜め下からの力のかかる方向に対して直線になるため足首に無理な力がかからない効果もある。
【発明を実施するための最良の形態】
【０００６】
体重の移動により、無理なく急峻なコーナリング動作やストップ動作を可能にするため
履物の靴底形状が縦方向に滑らかに隆起した構造とする。
【実施例】
【０００７】
以下、添付図面に従って一実施例を説明する。図１に示す如く、靴底の形状は靴底側面部２から靴底縦方向中央部３にかけて滑らかに隆起させた実施形態図である。
【０００８】
図２に示す如く、コーナリング動作に於いては遠心力により体が内側に傾きながら曲がっていくので、靴底の形状が、モーターサイクルがコーナリングを行うときモーターサイクルのタイヤが地面に安定して接しながら曲がっていくように、遠心力で傾いた体から伝わる力を地面に的確に伝えながら回って行くことが可能となる靴左側４、靴右側５が共に接地した状態での靴底接地状態図である。
【０００９】
図３に示す如く、急峻なストップを行う場合は、図３のように進行方向に対して靴左側４を垂直に押し出すように踏ん張ることにより体の傾きに対して靴左側４の靴底が制動力を地面に的確に伝える靴底接地状態図である。
【図面の簡単な説明】
【００１０】
【図１】（Ａ）は実施形態の靴の正面図であり、（Ｂ）はその側面図である。
【図２】コーナリング動作時の靴底接地状態を示す図である。
【図３】ストップ動作時の靴底接地状態を示す図である。
【符号の説明】
【００１１】
１  靴上部
２  靴底側面部
３  靴底縦方向中央部
４  靴左側
５  靴右側
【図１】
2010017367.tif 000003
【図２】
2010017367.tif 000004
【図３】
2010017367.tif 000005
(57)【要約】【課題】薄膜空気管構造でありながら、風雨に耐えうる耐力を有するとともに、携帯しやすくするため出来る限り構造を簡略化し軽量化すること。また、製作し易いように骨組みは曲線でなく直線の管とすること。【解決手段】製作し易く、軽く、必要な強度を有するために、直線の空気管４本を井型に組み、下部から上部に至って径が太い直線の空気管を井型の中央に上部から設置し、そのさらに上から覆いを張り、覆いの端部を井型の４本の骨組み端部に固定する。これにより井型の骨組と柄と覆いの３者がお互いに圧縮あるいは引っ張り合い、多少の風でも影響を受けない構造となる。【選択図】図１
2010017381.tif 000002
【特許請求の範囲】
【請求項１】
骨組みを薄膜の空気管で構成し、覆いを円錐形あるいは角錐形の薄膜で構成する傘において、骨組みを４本の空気管で井型とし、その中央に支柱あるいは柄を設置し、この骨組みと柄に覆いを張ることを特徴とする。
【発明の詳細な説明】
【技術分野】
【０００１】
本発明は、骨組みと柄を空気を抜き入れできる薄膜の管で構成し、これに薄膜の覆いを張った折りたたみ可能な傘に関するものである。
【背景技術】
【０００２】
従来の金属製の傘は、骨組みと柄が金属で構成されているため重く嵩張り携帯に不便であり、先端の金属の部分が危険でもあった。
【０００３】
また、既に発明及び考案されている使用時に空気を入れるビニール製等の骨組みの傘は、構造が複雑で製作が困難なものであったり、構造の簡単なものは風に弱く簡単に煽られてしまうものばかりである。
【０００４】
この改善策として、骨組みを４本の井型の薄膜空気管とし、この中央に上部ほど径の太い薄膜空気管の柄を差し込み、上から覆いを設置して井型の骨組みに固定することにより、簡単な構造で風に強い傘とした。
【特許文献１】特開２００５−０７４０３９
【発明の開示】
【発明が解決しようとする課題】
【０００５】
解決しようとする問題点は、従来のものが重く嵩張り携帯に不便であること、更に金属製のものは金属部の先端が危険であること、また風船構造のものはリング状の空気管を使用しているため製作が困難であったり、構造的に風の影響を受け易い点である。
【課題を解決するための手段】
【０００６】
本発明は、骨組みとして４本の直線状の薄膜空気管で井型を構成し、この井型の中央に、上部ほど径が太い直線状の薄膜空気管の柄を上部から差し込み、更にその上から覆いを骨組みの井型に固定することにより、簡単で風の影響を受けにくい構造とした。
【発明の効果】
【０００７】
柄は骨組みの井型により四方と下から拘束されており、更に上からは覆いで拘束されていること、また、覆いも骨組みにより四方に張られ、さらに下から柄で突き上げられているため多少の風を受けても変形しない構造となっている。
【発明を実施するための最良の形態】
【０００８】
軽く簡易で強い構造の傘とするため、４本の空気管の骨組み、１本の空気管の柄及び覆いという最小の部品点数で構成し、さらに３者が力学的に拘束し合うという最も理想的な構造とした。
【実施例１】
【０００９】
図１は、本発明の側方からの断面図であり、ａは覆い、ｂは柄、ｃは骨組み、ｄは空気注入口であ
り骨組みの４本の空気管と柄の空気管の端部に設置する。
【００１０】
図２は、本発明の下方からの平面図であり、ａは覆い、ｂは柄、ｃは骨組み、ｄは空気注入口である。
【産業上の利用可能性】
【００１１】
柄と骨組みの空気を抜けば非常にコンパクトで携帯しやすくなるし、使用中は骨組みの空気だけを抜くことにより、通常の金属傘と同じように保管できる。
また、柄を覆いから井型までと短くし頭への固定ベルト等を骨組みに設置することにより、帽子のように使え両手がフリーになる。
【図面の簡単な説明】
【００１２】
【図１】側方からの断面図である。
【図２】下方からの平面図である。
【符号の説明】
【００１３】
１    覆い
２    骨
３    柄
４    空気注入口
【図１】
2010017381.tif 000003
【図２】
2010017381.tif 000004